(57)【特許請求の範囲】
【請求項１】
クロージャハウジング内の両端に光ケーブル用固定金具がそれぞれ設けられ、前記クロージャハウジング内の双方の前記光ケーブル用固定金具の間に余長収納ケースと一対の光ケーブル用テンションメンバ固定金具とが設けられている光ケーブル用クロージャにおいて、前記光ケーブル用固定金具および前記光ケーブル用テンションメンバ固定金具は絶縁性材料からなる連結部材に固着されていることを特徴とする光ケーブル用クロージャ。
【請求項２】
クロージャハウジング外の少なくとも一端には接地端子が設けられていることを特徴とする請求項１に記載の光ケーブル用クロージャ。
【発明の詳細な説明】
【０００１】
【発明の属する技術分野】
本発明は、光ケーブル用のクロージャの改良に関するものである。
【０００２】
【従来の技術】
従来の光ケーブル用クロージャは、図３に示すように、上下に２分割される構造の樹脂成形品からなるクロージャハウジング１を有し、該クロージャハウジング１にはその両端から光ケーブル２の先端がそれぞれ挿入され、該クロージャハウジング１内で光ケーブル用固定金具３によりそれぞれ固定されている。
光ケーブル２が貫通するクロージャハウジング１の両端部は、ゴム製の貫通部シール材４でシールされている。
両光ケーブル用固定金具３は、クロージャハウジング１内の底部に設けられた金属製の連結部材５の両端上にそれぞれ絶縁板１１を介して立設されている。
これら光ケーブル用固定金具３および連結部材５により両側の光ケーブル２が機械的に連結されている。
【０００３】
各光ケーブル２の先端から露出された金属製の光ケーブルテンションメンバ６は、光ケーブル用テンションメンバ固定金具７でそれぞれ固定されている。
これら光ケーブル用テンションメンバ固定金具７も絶縁板１１を介して連結部材５上に立設されている。
これら光ケーブル用テンションメンバ固定金具７の間の連結部材５上には、余長収納ケース８が多段に積み重ねられて設けられている。
双方の光ケーブル２の端部から引き出されて相互に接続された光ファイバ心線１４の光ファイバ接続部と余長部とが、これら余長収納ケース８内に収納されるようになっている。
【０００４】
【発明が解決しようとする課題】
上記のような光ケーブル用クロージャにおいて、例えば一方の光ケーブル２に落雷等による短絡事故が発生した場合に、他方の光ケーブル２に類が及ばないように光ケーブル用固定金具３および光ケーブル用テンションメンバ固定金具７は連結部材５と絶縁を取るために絶縁板１１を介して連結部材５上に立設されている。絶縁板１１としては、ＦＲＰ製、ゴム製等適宜の電気絶縁製材料のものが使用されている。
【０００５】
ところで、光ケーブル用クロージャは光ケーブル２の光ファイバ接続部と余長部とが納まる最少の寸法となっているので、上記のように絶縁を取るために絶縁板１１を介して連結部材５上に光ケーブル用固定金具３および光ケーブル用テンションメンバ固定金具７を立設組み立てる作業は、設備の整った工場内の作業台上で予め組み立てる場合であっても煩雑で手間暇の掛かる作業性の悪いものであった。特に、洞道内や柱上等の身動きの制約のある作業現場においてはより困難で煩雑な作業となっていた。
また、絶縁板１１は連結部材５上に少なくとも２個必要である等コストアップを招いていた。
【０００６】
本発明は上記の課題を解決し、部品点数を少なくしてコストダウンをはかり、組み立て作業が容易で生産性の向上を可能にした光ケーブル用クロージャを提供することを目的とするものである。
【０００７】
【課題を解決するための手段】
本発明は上記の課題を解決するために以下のような手段を有している。
【０００８】
本発明のうち請求項１の光ケーブル用クロージャは、クロージャハウジング内の両端に光ケーブル用固定金具がそれぞれ設けられ、前記クロージャハウジング内の双方の前記光ケーブル用固定金具の間に余長収納ケースと一対の光ケーブル用テンションメンバ固定金具とが設けられている光ケーブル用クロージャにおいて、前記光ケーブル用固定金具および前記光ケーブル用テンションメンバ固定金具は絶縁性材料からなる連結部材に固着されていることを特徴とする。
【０００９】
本発明のうち請求項２の光ケーブル用クロージャは、クロージャハウジング外の少なくとも一端には接地端子が設けられていることを特徴とする。
【００１０】
本発明の請求項１の光ケーブル用クロージャによれば、光ケーブル用固定金具と光ケーブル用テンションメンバ固定金具とが絶縁性材料からなる連結部材に固着されるので、固定金具と連結部材との間に電気的絶縁をとる部材を別途設ける必要がない分部品点数が少なくなりコストダウンが達成される。
また、光ケーブル用固定金具と光ケーブル用テンションメンバ固定金具とを連結部材に固着する際にも、固定金具と連結部材との間に別の部材を介在しないで直接固着できるので、組み立て作業が容易となり作業能率が向上する。
特に作業場所の制約がある、例えば洞道内や柱上等であっても容易に組み立て作業を行うことが可能となる。
【００１１】
本発明の請求項２の光ケーブル用クロージャによれば、クロージャハウジング外の少なくとも一端には接地端子が設けられているので、光ケーブル用クロージャに接続固着された一方の光ケーブルに落雷等による短絡事故が発生した場合に、接地端子に接続された接地線によってアースさせることができ、他方の光ケーブルに影響を及ぼすことを回避することが可能となる。
【００１２】
【発明の実施の形態】
以下に本発明の光ケーブル用クロージャを実施の形態により詳細に説明する。図１（イ）、（ロ）は、本発明の光ケーブル用クロージャ１０を示すものである。光ケーブル用クロージャ１０は上下に２分割される構造の樹脂成形品からなるクロージャハウジング１と、クロージャハウジング１の両端部に設けられたゴム製の貫通部シール材４と、クロージャハウジング１内に装着される光ケーブルを固定する一対の光ケーブル用固定金具３と、一対の光ケーブル用固定金具３の間に配置された光ケーブル用テンションメンバを固定する一対の光ケーブル用テンションメンバ固定金具７と、一対の光ケーブル用テンションメンバ固定金具７の間に設けられた光ファイバ接続部とその余長部を収納する余長収納ケース８および光ケーブル用固定金具３、光ケーブル用テンションメンバ固定金具７と余長収納ケース８を固着する連結部材１５を備えている。
【００１３】
本発明の光ケーブル用クロージャ１０の特徴は連結部材１５にある。
すなわち、連結部材１５は絶縁性材料、例えばＦＲＰ等からなるもので、一対の光ケーブル用固定金具３および一対の光ケーブル用テンションメンバ固定金具７は、クロージャハウジング１内の底部に設けられた連結部材１５の両端上にそれぞれ直接ボルト等で立設されて固着される。
一対の光ケーブル用固定金具３および一対の光ケーブル用テンションメンバ固定金具７は、連結部材１５に工場で出荷前に予め組み立てられる場合もあるが、光ケーブルの敷設現場での光ケーブル接続時にその場で組み立てられる場合もある。
【００１４】
また、光ケーブル用クロージャ１０にはクロージャハウジング１外の一方の端部に接地端子１６が設けられていて、他方の端部にはガス封入バルブ１７が設けられている。
【００１５】
図２は、本実施の形態の光ケーブル用クロージャ１０に光ケーブル２の接続部が収納された状態を示すものである。
図２に示すように、クロージャハウジング１にはその両端から光ケーブル２の先端がそれぞれ挿入され、該クロージャハウジング１内で光ケーブル用固定金具３によりそれぞれ固定されている。
光ケーブル２が貫通するクロージャハウジング１の両端部は、ゴム製の貫通部シール材４でシールされていることは従来の光ケーブル用クロージャと同様である。
連結部材１５は絶縁性材料、例えばＦＲＰ等からなるもので、両光ケーブル用固定金具３は、クロージャハウジング１内の底部に設けられた連結部材１５の両端上にそれぞれ直接立設されて図示していないボルト等によって固着されている。
【００１６】
これら光ケーブル用固定金具３および連結部材１５により両側の光ケーブル２が電気的に絶縁状態に且つ機械的に連結される。
また、各光ケーブル２の先端からケーブルシースが段剥ぎされて露出した、例えば鋼線からなる光ケーブルテンションメンバ６が、光ケーブル用テンションメンバ固定金具７によってそれぞれ固定されている。
これら光ケーブル用テンションメンバ固定金具７も連結部材１５の両端上にそれぞれ直接立設されて図示していないボルト等によって固着されている。
これら光ケーブル用テンションメンバ固定金具７および連結部材１５により両側の光ケーブル２の光ケーブルテンションメンバ６が電気的に絶縁状態に且つ機械的に連結される。
【００１７】
上記の光ケーブル用テンションメンバ固定金具７の間の連結部材１５上には、余長収納ケース８が多段に積み重ねられて、連結部材１５に立設した余長収納ケース架台９に保持されている。
双方の光ケーブル２の端部から引き出されて相互に接続された光ファイバ心線１４の光ファイバ接続部と余長部とが、これら余長収納ケース８内に収納されるようになっている。
上述のように光ケーブルの接続部が収納された光ケーブル用クロージャ１０内にガス封入バルブ１７から、例えば窒素ガス等が封入される。
また、クロージャハウジング１外の一方の端部に設けられた接地端子１６に接地線１８が接続されてアースされている。
【００１８】
【発明の効果】
以上述べたように、本発明のうち請求項１の光ケーブル用クロージャによれば、光ケーブル用固定金具と光ケーブル用テンションメンバ固定金具とが絶縁性材料からなる連結部材に固着されるので、固定金具と連結部材との間に電気的絶縁をとる部材を別途設ける必要がない分部品点数が少なくなりコストダウンが達成される。
また、光ケーブル用固定金具と光ケーブル用テンションメンバ固定金具とを連結部材に固着する際にも、固定金具と連結部材との間に別の絶縁部材を介在しないで直接固着できるので、組み立て作業が容易となり作業能率が向上する。
【００１９】
本発明の請求項２の光ケーブル用クロージャによれば、クロージャハウジング外の少なくとも一端には接地端子が設けられているので、光ケーブル用クロージャに接続固着された一方の光ケーブルに落雷等による短絡事故が発生した場合に、接地端子に接続された接地線によってアースさせることができ、他方の光ケーブルに影響を及ぼすことを回避することが可能となる。
【図面の簡単な説明】
【図１】（イ）は本発明の光ケーブル用クロージャの一実施の形態の平面を示す断面図、（ロ）は図（イ）の正面を示す断面図である。
【図２】図１の光ケーブル用クロージャの使用状態を示す断面図である。
【図３】従来の光ケーブル用クロージャの一例を示す断面図である。
【符号の説明】
１  クロージャハウジング
２  光ケーブル
３  光ケーブル用固定金具
４  貫通部シール材
６  テンションメンバ
７  光ケーブル用テンションメンバ固定金具
８  余長収納ケース
１０  光ケーブル用クロージャ
１４  光ファイバ心線
１５  連結部材
１６  接地端子
【図１】
0003599480.tif 000002
【図２】
0003599480.tif 000003
【図３】
0003599480.tif 000004